(57)【要約】      （修正有）【課題】中継配線基板にワイヤが半田付けしてある部分のクロストークを低減するケーブルコネクタを提供すること。【解決手段】電気絶縁性のブロック体に複数の信号コンタクトが組み込んである構造であるコンタクト組立体と、表面１２４に、コンタクト接続用パッド１３２、１３４、ワイヤ接続用パッド１４２、１４４、及び両者をつなぐ配線１５２、１５４を有し、コンタクト接続用パッド１３２、１３４を信号コンタクトと電気的に接続させてある中継配線基板１２０と、端のワイヤをワイヤ接続用パッド１４２、１４４と電気的に接続させてあるケーブルと、を有するケーブルコネクタにおいて、隣り合う、複数のワイヤ接続用パッド１４２、１４４からなるワイヤ接続用パッド群１４０が、配線１５２、１５４の延在方向（Ｙ１−Ｙ２方向）にずらして配置される。【選択図】図７
2010010102.tif 000002
【特許請求の範囲】
【請求項１】
電気絶縁性のブロック体に複数の信号コンタクトが組み込んである構造であるコンタクト組立体と、
表面に、コンタクト接続用パッド、ワイヤ接続用パッド、及び前記コンタクト接続用パッドと前記ワイヤ接続用パッドとをつなぐ配線を有し、前記コンタクト接続用パッドを前記信号コンタクトと電気的に接続させてある中継配線基板と、
端のワイヤを前記ワイヤ接続用パッドと電気的に接続させてあるケーブルと、
を有するケーブルコネクタにおいて、
隣り合う前記ワイヤ接続用パッド、又は隣り合う、複数の前記ワイヤ接続用パッドからなるワイヤ接続用パッド群が、前記配線の延在方向にずらして配置されるケーブルコネクタ。
【請求項２】
前記ワイヤ接続用パッドは、前記配線の延在方向に対して斜めに延びる請求項１記載のケーブルコネクタ。
【請求項３】
前記ワイヤ接続用パッドの延在方向は、複数方向である請求項２記載のケーブルコネクタ。
【請求項４】
前記中継配線基板は、複数であって、所定間隔で並設され、
各中継配線基板間には、前記ワイヤ接続用パッドに対応する位置にグランド層が配置される請求項１〜３いずれか一項記載のケーブルコネクタ。
【請求項５】
前記中継配線基板は、前記表面に、前記ワイヤ、又は前記ワイヤを被覆処理した絶縁被覆電線をワイヤ接続用パッドの延在方向に案内するガイド溝を有する請求項１〜４いずれか一項記載のケーブルコネクタ。
【発明の詳細な説明】
【技術分野】
【０００１】
本発明は、ケーブルコネクタに係り、特に中継配線基板を使用している構成であり、コンタクト組立体に中継配線基板が結合してあり、この中継配線基板の端にケーブルの端が接続してある構成の平衡伝送用ケーブルコネクタに関する。
【０００２】
データの伝送の方式としては、データ毎に一本の電線を使用する通常の伝送方式と、データ毎に対をなす二本の電線を使用して、伝送すべき＋信号とこの＋信号とは大きさが等しく逆向きの−信号とを同時に伝送する平衡伝送方式がある。平衡伝送方式は、通常の伝送方式に比べてノイズの影響を受けにくいという利点を有しており、信号を高速で伝送する分野において多く採用されている。
【背景技術】
【０００３】
図１は、従来の平衡伝送用ケーブルコネクタを概略的に示す図である。図２は、平衡伝送用ケーブルコネクタ１の断面図である。図３は、図２中の中継部分を分解して示す図である。Ｘ１−Ｘ２、Ｙ１−Ｙ２、Ｚ１−Ｚ２は、各々、平衡伝送用ケーブルコネクタ１の幅方向、長手方向、高さ方向である。
【０００４】
平衡伝送用ケーブルコネクタ１は、図１及び図２に示すように、コンタクト組立体１０の背面側に２枚の中継配線基板（パドルカード）２０が取り付けてあり、平衡伝送用ケーブル６０の端が中継配線基板２０の端に接続してあり、コンタクト組立体１０、２枚の中継配線基板２０、及びケーブル６０の先端部分がシールドハウジング８０によって覆われている構成である。
【０００５】
各中継配線基板２０は、図３に示すように、上面２４に、第１〜第３のコンタクト接続用パッド３２、３４、３６、第１〜第３のワイヤ接続用パッド４２、４４、４６、及び両者をつなぐ第１〜第３の配線５２、５４、５６を有する。
【０００６】
コンタクト組立体１０の第１、第２の信号コンタクト１２、１４、及びグランドコンタクト１６がそれぞれ第１〜第３のコンタクト接続用パッド３２、３４、３６と半田付けしてある。また、平衡伝送用ケーブル６０の端の第１、第２の信号ワイヤ７２、７４、及びドレンワイヤ７６がそれぞれ第１〜第３のワイヤ接続用パッド４２、４４、４６と半田付けしてある。
【０００７】
図１に示すように、各中継配線基板２０は、略矩形状の基板であり、表面に配線５２、５４、５６が等しい長さで形成されており、ワイヤ接続用パッド４２、４４、４６がＸ１−Ｘ２方向に一列に並んで配列されている。
【特許文献１】特開２００５−１９０６９１号公報
【特許文献２】特開２００４−２２４１３号公報
【発明の開示】
【発明が解決しようとする課題】
【０００８】
しかし、各ワイヤ接続用パッドは、信号ワイヤやドレンワイヤを実装させるため、配線と比較して、幅方向寸法が広くなっている。このため、各ワイヤ接続用パッド間の間隙が各配線間の間隙よりも狭くなっている。したがって、中継配線基板にワイヤが半田付けしてある部分のクロストークが大きくなってしまうという問題がある。
【０００９】
本発明は、上記課題に鑑みてなされたものであって、中継配線基板にワイヤが半田付けしてある部分のクロストークを低減するケーブルコネクタを提供することを目的とする。
【課題を解決するための手段】
【００１０】
前記目的を達成するため、本発明は、電気絶縁性のブロック体に複数の信号コンタクトが組み込んである構造であるコンタクト組立体と、
表面に、コンタクト接続用パッド、ワイヤ接続用パッド、及び前記コンタクト接続用パッドと前記ワイヤ接続用パッドとをつなぐ配線を有し、前記コンタクト接続用パッドを前記信号コンタクトと電気的に接続させてある中継配線基板と、
端のワイヤを前記ワイヤ接続用パッドと電気的に接続させてあるケーブルと、
を有するケーブルコネクタにおいて、
隣り合う前記ワイヤ接続用パッド、又は隣り合う、複数の前記ワイヤ接続用パッドからなるワイヤ接続用パッド群が、前記配線の延在方向にずらして配置されるケーブルコネクタである。
【発明の効果】
【００１１】
本発明によれば、中継配線基板にワイヤが半田付けしてある部分のクロストークを低減するケーブルコネクタを提供することができる。
【発明を実施するための最良の形態】
【００１２】
以下、図面を参照して、本発明を実施するための最良の形態の説明を行う。
【実施例１】
【００１３】
図４は、本発明の実施例１になる平衡伝送用ケーブルコネクタを概略的に示す図である。図５は、平衡伝送用ケーブルコネクタ１００の断面図である。図６は、図５中の中継部分を分解して示す図である。図７は、配線基板１２０を示す図である。図８は、平衡伝送用ケーブル６０を示す図である。Ｘ１−Ｘ２、Ｙ１−Ｙ２、Ｚ１−Ｚ２は、各々、平衡伝送用ケーブルコネクタ１００の幅方向、長手方向、高さ方向である。
【００１４】
平衡伝送用ケーブルコネクタ１００は、図１に示す平衡伝送用ケーブルコネクタ１と比較して、中継配線基板１２０が相違し、コンタクト組立体１０と、中継配線基板１２０と、平衡伝送用ケーブル６０とを有する。図４〜図８中、図１〜図３に示す構成部分と対応する部分には同じ符号を付す。
【００１５】
この平衡伝送用ケーブルコネクタ１００は、図４、図５に示すように、プラグ型であり、プラグ型のコンタクト組立体１０がシールドハウジング８０内に組み込まれている。
【００１６】
コンタクト組立体１０は、図６に示すように、電気絶縁性のブロック体１１に、第１の信号コンタクト１２と、第２の信号コンタクト１４と、グランドコンタクト１６とが行の方向（Ｘ１−Ｘ２方向）に並んでおり、且つ、これらのコンタクト１２、１４、１６からなるコンタクト群が行の方向（Ｘ１−Ｘ２方向）、及び列の方向（Ｚ１−Ｚ２方向）に並んで組み込まれている構成である。第１及び第２の信号コンタクト１２、１４は、正負対称波形の信号を伝送するためのコンタクト対を構成する。
【００１７】
ブロック体１１は、Ｙ２側にプラグ本体部１１ａが突き出ている。このプラグ本体部１１ａの上下面には溝がＸ１−Ｘ２方向に沿って所定間隔で形成してある。
【００１８】
第１、第２の信号コンタクト１２、１４、及びグランドコンタクト１６は、ブロック体１１にＹ１側からＹ２方向に突き刺すようにして組み込んである。各コンタクト１２、１４、１６のＹ２側端部は、プラグ本体部１１ａの溝に嵌合されて、プラグ本体部１１ａの上下面から露出している。一方、各コンタクト１２、１４、１６のＹ１側端部は、ブロック体１１よりＹ１側に突き出ている。
【００１９】
中継配線基板１２０は、図６に示すように、Ｚ１−Ｚ２方向に所定間隔で並ぶ２段構成である。
【００２０】
各中継配線基板１２０は、図７に示すように、略四角形の基板であり、ケーブル６０の端と接続されるＹ１側の端縁１２２が、Ｘ１−Ｘ２方向に沿ってＸ１側に行くほどＹ１方向に突出するように斜めに形成されている。このため、中継配線基板１２０は、図１〜図３に示す従来の矩形の中継配線基板２０に比較して、ケーブル６０の端と接続されるＹ１側の端縁１２２が長くなっている。
【００２１】
また、各中継配線基板１２０は、Ｚ１側の上面１２４に、第１〜第３のコンタクト接続用パッド１３２、１３４、１３６、第１〜第３のワイヤ接続用パッド１４２、１４４、１４６、及び両者をつなぐ第１〜第３の配線１５２、１５４、１５６を有する構造である。
【００２２】
第１〜第３の配線１５２、１５４、１５６は、Ｙ１−Ｙ２方向に長い帯状であり、Ｘ１−Ｘ２方向に並んで配列されている。また、これらの配線１５２、１５４、１５６からなる配線群１５０は、Ｘ１−Ｘ２方向に並んで配列されている。
【００２３】
第１〜第３の配線１５２、１５４、１５６のＹ２側端には、それぞれ、第１〜第３のコンタクト接続用パッド１３２、１３４、１３６が接続されている。一方、第１〜第３の配線１５２、１５４、１５６のＹ１側端には、それぞれ、第１〜第３のワイヤ接続用パッド１４２、１４４、１４６が接続されている。
【００２４】
第１〜第３のコンタクト接続用パッド１３２、１３４、１３６は、配線１５２、１５４、１５６の延在方向（Ｙ１−Ｙ２方向）に長い矩形状であり、Ｘ１−Ｘ２方向に並んで配列されている。また、これらのコンタクト接続用パッド１３２、１３４、１３６からなるコンタクト接続用パッド群１３０は、Ｘ１−Ｘ２方向に並んで配列されている。隣り合うコンタクト接続用パッド群１３０間の距離Ｌ１は、各コンタクト接続用パッド群１３０において隣り合うコンタクト接続用パッド１３２、１３４、１３６間の距離Ｌ２に等しい。
【００２５】
一方、第１〜第３のワイヤ接続用パッド１４２、１４４、１４６は、配線１５２、１５４、１５６の延在方向（Ｙ１−Ｙ２方向）に対して斜めに（矢印Ｄ１方向に）延びる矩形状であり、中継配線基板１２０のＹ１側の端縁１２２に沿って並んで配列されている。また、これらのワイヤ接続用パッド１４２、１４４、１４６からなるワイヤ接続用パッド群１４０は、上記端縁１２２に沿って並んで配列されている。
【００２６】
隣り合うワイヤ接続用パッド群１４０は、配線１５２、１５４、１５６の延在方向（Ｙ１−Ｙ２方向）にΔＹずらして配置されている。すなわち、隣り合う配線群１５０は、その長さが異なるように形成されている。例えば、図４、図６に示すように、配線群１５０は、Ｘ１−Ｘ２方向に沿ってＸ２側に行くほどＹ１方向に突出するように形成される。
【００２７】
よって、隣り合うワイヤ接続用パッド群１４０間の距離Ｌ３は、対応する隣り合うコンタクト接続用パッド群１３０間の距離Ｌ１より長くなる。なお、隣り合うワイヤ接続用パッド群１４０間の距離Ｌ３は、各ワイヤ接続用パッド群１４０において隣り合うワイヤ接続用パッド１４２、１４４、１４６間の距離Ｌ４より長く、距離Ｌ４は、距離Ｌ２に等しい。
【００２８】
中継配線基板１２０にワイヤ７２、７４が半田付けしてある部分のクロストークは、隣り合うワイヤ接続用パッド群１４０間の距離Ｌ３によって決まる。この距離Ｌ３は、隣り合うコンタクト接続用パッド群１３０間の距離Ｌ１に比べて長くなっており、図１〜３に示す従来の中継配線基板２０に比較して、クロストークが低減されている。
【００２９】
平衡伝送用ケーブル６０は、図８（Ａ）に示すように、外部被覆６２と遮蔽網線６４とよりなる二重被覆構造のチューブの内部に８本のペア電線７０が収まっている構造である。
【００３０】
各ペア電線７０は、図８（Ｂ）に示すように、平衡信号伝送用の対をなす絶縁被覆信号電線７１、７３とドレンワイヤ７６とが螺旋状に巻かれた金属テープ７８によって束ねられてシールドされている構造である。各ペア電線７０の端からは、絶縁被覆信号電線７１、７３とドレンワイヤ７６とが外側に延びており、絶縁被覆信号電線７１、７３の先端は処理されて第１及び第２の信号ワイヤ７２、７４が露出している。
【００３１】
再度、図４〜図６を参照するに、平衡伝送用ケーブルコネクタ１００は、コンタクト組立体１０の背面側に２枚の中継配線基板１２０が接続してあり、平衡伝送用ケーブル６０の端が中継配線基板１２０の端に接続してあり、コンタクト組立体１０、２枚の中継配線基板１２０、及びケーブル６０の先端部分が、シールドハウジング８０によって覆われている構成である。
【００３２】
コンタクト組立体１０のＹ１側に中継配線基板１２０のＹ２側端が嵌合されて、第１のコンタクト接続用パッド１３２が第１の信号コンタクト１２のＹ１側端と半田付けされ、第２のコンタクト接続用パッド１３４が第２の信号コンタクト１４のＹ１側端と半田付けされ、第３のコンタクト接続用パッド１３６がグランドコンタクト１６のＹ１側端と半田付けされて固定してある。
【００３３】
平衡伝送用ケーブル６０は、各ペア電線７０の先端の第１、第２の信号ワイヤ７２、７４、及びドレンワイヤ７６がそれぞれ第１、第２、第３のワイヤ接続用パッド１４２、１４４、１４６に半田付けされている。この平衡伝送ケーブル６０は、中継配線基板１２０のＹ１側端に接続され、第１〜第３のワイヤ接続用パッド１４２、１４４、１４６の延在方向（矢印Ｄ１方向）に沿って延在されている。
【００３４】
平衡伝送用ケーブルコネクタ１００では、隣り合うワイヤ接続用パッド群１４０が配線１５２、１５４、１５６の延在方向（Ｙ１−Ｙ２方向）にΔＹずらして配置されている。よって、図１〜図３に示す従来の平衡伝送用ケーブルコネクタ１に比較して、各ワイヤ接続用パッド群１４０間の距離Ｌ３が長くなっている。したがって、中継配線基板１２０にワイヤ７２、７４が半田付けしてある部分のクロストークが、従来に比較して低減されている。
【００３５】
また、平衡伝送用ケーブルコネクタ１００では、ワイヤ接続用パッド１４２、１４４、１４６は、配線１５２、１５４、１５６の延在方向（Ｙ１−Ｙ２方向）に対して斜めに（矢印Ｄ１方向に）延びる。よって、平衡伝送用ケーブルコネクタ１００から矢印Ｄ１方向に、平衡伝送用ケーブル６０を無理に曲げることなく、延在させることができる。したがって、平衡伝送用ケーブル６０には、過度な応力が印加されない。また、平衡伝送用ケーブル６０を曲げるためのスペースが必要ない。
【実施例２】
【００３６】
図９は、本発明の実施例２になる平衡伝送用ケーブルコネクタを概略的に示す図である。図１０は、中継配線基板２２０を示す図である。Ｘ１−Ｘ２、Ｙ１−Ｙ２、Ｚ１−Ｚ２は、各々、平衡伝送用ケーブルコネクタ２００の幅方向、長手方向、高さ方向である。
【００３７】
平衡伝送用ケーブルコネクタ２００は、図４〜図８に示す平衡伝送用ケーブルコネクタ１００と比較して、中継配線基板２２０と、平衡伝送用ケーブル２６０とが相違し、コンタクト組立体１０と、中継配線基板２２０と、平衡伝送用ケーブル２６０とを有する。以下、各構成について詳説していくが、図４〜図６に示す平衡伝送用ケーブルコネクタ１００と同一の構成については、同一の符号を付して説明を省略する。
【００３８】
この平衡伝送用ケーブルコネクタ２００は、図９に示すように、プラグ型であり、プラグ型のコンタクト組立体１０がシールドハウジング８０内に組み込まれている。
【００３９】
中継配線基板２２０は、中継配線基板１２０と同様に、Ｚ１−Ｚ２方向に所定間隔で並ぶ２段構成である。各中継配線基板２２０は、各中継配線基板１２０と異なり、図１０に示すように、略五角形の基板であり、ケーブル６０の端と接続されるＹ１側の端縁２２２がＸ１−Ｘ２方向に対して垂直方向（Ｙ１方向）に突出した山状である。このため、中継配線基板２２０は、図１〜図３に示す従来の矩形の中継配線基板２０と比較して、ケーブル６０の端と接続されるＹ１側の端縁２２２が長くなっている。
【００４０】
また、各中継配線基板２２０は、Ｚ１側の上面２２４に、第１〜第３のコンタクト接続用パッド１３２、１３４、１３６、第１〜第３のワイヤ接続用パッド２４２、２４４、２４６、及び両者をつなぐ第１〜第３の配線２５２、２５４、２５６を有する構造である。
【００４１】
第１〜第３の配線２５２、２５４、２５６は、それぞれ、Ｙ１−Ｙ２方向に長い帯状であり、Ｘ１−Ｘ２方向に並んで配列されている。また、これらの配線２５２、２５４、２５６からなる配線群２５０は、Ｘ１−Ｘ２方向に並んで配列されている。
【００４２】
第１〜第３の配線２５２、２５４、２５６のＹ２側端には、それぞれ、第１〜第３のコンタクト接続用パッド１３２、１３４、１３６が接続されている。一方、第１〜第３の配線２５２、２５４、２５６のＹ１側端には、それぞれ、第１〜第３のワイヤ接続用パッド２４２、２４４、２４６が接続されている。
【００４３】
第１〜第３のワイヤ接続用パッド２４２、２４４、２４６は、配線２５２、２５４、２５６の延在方向（Ｙ１−Ｙ２方向）に対して斜めに（矢印Ｄ１方向、又は矢印Ｄ２方向に）延びる矩形状であり、中継配線基板２２０のＹ１側の端縁２２２に沿って並んで配列されている。また、これらのワイヤ接続用パッド２４２、２４４、２４６からなるワイヤ接続用パッド群２４０は、上記端縁２２２に沿って並んで配列されている。
【００４４】
隣り合うワイヤ接続用パッド群２４０は、配線２５２、２５４、２５６の延在方向（Ｙ１−Ｙ２方向）にΔＹずらして配置されている。すなわち、隣り合う配線群２５０は、その長さが異なるように形成されている。例えば、図９、図１０に示すように、配線群２５０は、Ｘ１−Ｘ２方向に対して垂直方向（Ｙ１方向）に突出する山状に形成される。
【００４５】
よって、隣り合うワイヤ接続用パッド群２４０間の距離Ｌ３は、対応する隣り合うコンタクト接続用パッド群１３０間の距離Ｌ１より長くなる。なお、隣り合うワイヤ接続用パッド群２４０間の距離Ｌ３は、各ワイヤ接続用パッド群２４０において隣り合うワイヤ接続用パッド２４２、２４４、２４６間の距離Ｌ４より長く、距離Ｌ４は、距離Ｌ２に等しい。
【００４６】
中継配線基板２２０にワイヤ７２、７４が半田付けしてある部分のクロストークは、隣り合うワイヤ接続用パッド群２４０間の距離Ｌ３によって決まる。この距離Ｌ３は、隣り合うコンタクト接続用パッド群１３０間の距離Ｌ１に比べて長くなっており、図１〜３に示す従来の中継配線基板２０に比較して、クロストークが低減されている。
【００４７】
平衡伝送用ケーブル２６０は、外部被覆６２と遮蔽網線６４とよりなる二重被覆構造のチューブの内部に４本のペア電線７０が収まっている構造である。
【００４８】
再度、図９、図１０を参照するに、平衡伝送用ケーブルコネクタ２００は、コンタクト組立体１０の背面側に２枚の中継配線基板２２０が接続してあり、２本の平衡伝送用ケーブル２６０の端が各中継配線基板２２０の端に接続してあり、コンタクト組立体１０、２枚の中継配線基板２２０、及び２本のケーブル２６０の先端部分が、シールドハウジング８０によって覆われている構成である。
【００４９】
平衡伝送用ケーブル２６０は、各ペア電線７０の先端の第１、第２の信号ワイヤ７２、７４、及びドレンワイヤ７６がそれぞれ第１、第２、第３のワイヤ接続用パッド２４２、２４４、２４６に半田付けされている。２本の平衡伝送ケーブル２６０は、それぞれ、中継配線基板２２０のＹ１側端に接続され、第１〜第３のワイヤ接続用パッド２４２、２４４、２４６の延在方向（矢印Ｄ１方向、又は矢印Ｄ２方向）に沿って延在されている。
【００５０】
平衡伝送用ケーブルコネクタ２００では、隣り合うワイヤ接続用パッド群２４０が配線２５２、２５４、２５６の延在方向（Ｙ１−Ｙ２方向）にΔＹずらして配置されている。よって、図１〜図３に示す従来のケーブルコネクタ１に比較して、各ワイヤ接続用パッド群２４０間の距離Ｌ３が長くなっている。したがって、中継配線基板２２０にワイヤ７２、７４が半田付けしてある部分のクロストークが、従来に比較して低減されている。
【００５１】
また、平衡伝送用ケーブルコネクタ２００では、ワイヤ接続用パッド２４２、２４４、２４６は、配線２５２、２５４、２５６の延在方向（Ｙ１−Ｙ２方向）に対して斜めに延び、その延在方向は２方向（矢印Ｄ１方向、又は矢印Ｄ２方向に）である。よって、平衡伝送用ケーブルコネクタ２００から２方向（矢印Ｄ１方向又は矢印Ｄ２方向）に、２本の平衡伝送用ケーブル２６０を無理に曲げることなく、延在させることができる。したがって、平衡伝送用ケーブル２６０には、過度な応力が印加されない。また、平衡伝送用ケーブル２６０を曲げるためのスペースが必要ない。
【実施例３】
【００５２】
図１１は、本発明の実施例３になる平衡伝送用ケーブルコネクタを概略的に示す図である。図１２は、中継配線基板３２０を示す図である。図１３は、図１２の矢視Ａ−Ａから見た断面図である。Ｘ１−Ｘ２、Ｙ１−Ｙ２、Ｚ１−Ｚ２は、各々、平衡伝送用ケーブルコネクタ３００の幅方向、長手方向、高さ方向である。
【００５３】
平衡伝送用ケーブルコネクタ３００は、図４〜図６に示す平衡伝送用ケーブルコネクタ１００と比較して、中継配線基板３２０が相違し、コンタクト組立体１０と、中継配線基板３２０と、平衡伝送用ケーブル６０とを有する。以下、各構成について詳説していくが、図４〜図８に示す平衡伝送用ケーブルコネクタ１００と同一の構成については、同一の符号を付して説明を省略する。
【００５４】
この平衡伝送用ケーブルコネクタ３００は、図１１に示すように、プラグ型であり、プラグ型のコンタクト組立体１０がシールドハウジング８０内に組み込まれている。
【００５５】
中継配線基板３２０は、中継配線基板１２０と同様に、Ｚ１−Ｚ２方向に所定間隔で並ぶ２段構成である。各中継配線基板３２０は、各中継配線基板１２０と異なり、図１２に示すように、略矩形の基板であり、Ｚ１側の上面３２４に、第１〜第３のコンタクト接続用パッド１３２、１３４、１３６、第１〜第３のワイヤ接続用パッド３４２、３４４、３４６、及び両者をつなぐ第１〜第３の配線３５２、３５４、３５６を有する構造である。
【００５６】
第１〜第３の配線３５２、３５４、３５６は、それぞれ、Ｙ１−Ｙ２方向に長い帯状であり、Ｘ１−Ｘ２方向に並んで配列されている。また、これらの配線３５２、３５４、３５６からなる配線群３５０は、Ｘ１−Ｘ２方向に並んで配列されている。
【００５７】
第１〜第３の配線３５２、３５４、３５６のＹ２側端には、それぞれ、第１〜第３のコンタクト接続用パッド１３２、１３４、１３６が接続されている。一方、第１〜第３の配線３５２、３５４、３５６のＹ１側端には、それぞれ、第１〜第３のワイヤ接続用パッド３４２、３４４、３４６が接続されている。
【００５８】
第１〜第３のワイヤ接続用パッド３４２、３４４、３４６は、配線３５２、３５４、３５６の延在方向（Ｙ１−Ｙ２方向）に延びる矩形状であり、Ｘ１−Ｘ２方向に並んで配列されている。また、これらのワイヤ接続用パッド３４２、３４４、３４６からなるワイヤ接続用パッド群３４０は、Ｘ１−Ｘ２方向に並んで配列されている。
【００５９】
隣り合うワイヤ接続用パッド群３４０は、配線３５２、３５４、３５６の延在方向（Ｙ１−Ｙ２方向）にΔＹずらして配置されている。すなわち、隣り合う配線群３５０は、その長さが異なるように形成されている。例えば、図１１、図１２に示すように、配線群３５０は、Ｘ１−Ｘ２方向に沿ってＸ２側に行くほど交互に短くなったり長くなったりするように形成される。
【００６０】
よって、隣り合うワイヤ接続用パッド群３４０間の距離Ｌ３は、対応する隣り合うコンタクト接続用パッド群１３０間の距離Ｌ１より長くなる。なお、隣り合うワイヤ接続用パッド群３４０間の距離Ｌ３は、各ワイヤ接続用パッド群３４０において隣り合うワイヤ接続用パッド３４２、３４４、３４６間の距離Ｌ４より長く、距離Ｌ４は、距離Ｌ２に等しい。
【００６１】
中継配線基板３２０にワイヤ７２、７４が半田付けしてある部分のクロストークは、隣り合うワイヤ接続用パッド群３４０間の距離Ｌ３によって決まる。この距離Ｌ３は、隣り合うコンタクト接続用パッド群１３０間の距離Ｌ１に比べて長くなっており、図１〜３に示す従来の中継配線基板２０に比較して、クロストークが低減されている。
【００６２】
また、中継配線基板３２０間には、ワイヤ接続用パッド３４２、３４４、３４６に対応する位置にグランド層３２８が配置してある。例えば、図１２、図１３に示すように、グランド層３２８は、中継配線基板３２０のＺ２側の下面３２６の全面に亘って形成されている。よって、上段側の中継配線基板３２０にワイヤ７２、７４が半田付けしてある部分と、下段側の中継配線基板３２０にワイヤ７２、７４が半田付けしてある部分とのクロストークが従来に比較して低減される。
【００６３】
更に、中継配線基板３２０のＺ１側の上面３２４には、図１２、図１３に示すように、第１、第２の信号ワイヤ７２、７４をそれぞれ被覆処理した絶縁被覆信号電線７１、７３、及びドレンワイヤ７６をそれぞれワイヤ接続用パッド３４２、３４４、３４６の延在方向（Ｙ１−Ｙ２方向）に案内するガイド溝３９２、３９４、３９６が形成されている。ガイド溝３９２、３９４、３９６によって、絶縁被覆信号電線７１、７３、及びドレンワイヤ７６が位置決めされるので、ワイヤ７２、７４、７６の半田付け作業が従来に比較して容易である。
【００６４】
再度、図１１、図１２を参照するに、平衡伝送用ケーブルコネクタ３００は、コンタクト組立体１０の背面側に２枚の中継配線基板３２０が接続してあり、平衡伝送用ケーブル６０の端が各中継配線基板３２０の端に接続してあり、コンタクト組立体１０、２枚の中継配線基板３２０、及びケーブル６０の先端部分が、シールドハウジング８０によって覆われている構成である。
【００６５】
平衡伝送用ケーブル６０は、各ペア電線７０の先端の第１、第２の信号ワイヤ７２、７４、及びドレンワイヤ７６がそれぞれ第１、第２、第３のワイヤ接続用パッド３４２、３４４、３４６に半田付けされている。平衡伝送ケーブル６０は、中継配線基板３２０のＹ１側端に接続され、第１〜第３のワイヤ接続用パッド３４２、３４４、３４６の延在方向（Ｙ１−Ｙ２方向）に沿って延在されている。
【００６６】
平衡伝送用ケーブルコネクタ３００では、隣り合うワイヤ接続用パッド群３４０が配線３５２、３５４、３５６の延在方向（Ｙ１−Ｙ２方向）にΔＹずらして配置されている。よって、図１〜図３に示す従来のケーブルコネクタ１に比較して、各ワイヤ接続用パッド群３４０間の距離Ｌ３が長くなっている。したがって、中継配線基板３２０にワイヤ７２、７４が半田付けしてある部分のクロストークが、従来に比較して低減されている。
【００６７】
以上、本発明の好ましい実施例について詳説したが、本発明は、上述した実施例に制限されることはなく、本発明の範囲を逸脱することなく、上述した実施例に種々の変形及び置換を加えることができる。
【００６８】
例えば、実施例１〜３の平衡伝送用ケーブルコネクタ１００、２００、３００は、プラグ型であるとしたが、中継配線基板を有する限り、ジャック型であってもよい。
【００６９】
また、実施例１〜３の平衡伝送用ケーブルコネクタ１００、２００、３００では、１つのコンタクト組立体１０に対して２つの中継配線基板１２０、２２０、３２０が接続されるとしたが、中継配線基板１２０、２２０、３２０の数に制限はなく、例えば、１つのコンタクト組立体１０に対して４つの中継配線基板１２０、２２０、３２０が接続されてもよい。
【００７０】
また、実施例１及び２の中継配線基板１２０、２２０は、実施例３の中継配線基３２０板と同様に、Ｚ２側の下面の全面にグランド層３２８を備えてもよい。
【図面の簡単な説明】
【００７１】
【図１】従来の平衡伝送用ケーブルコネクタを概略的に示す図である。
【図２】平衡伝送用ケーブルコネクタ１の断面図である。
【図３】図２中の中継部分を分解して示す図である。
【図４】本発明の実施例１になる平衡伝送用ケーブルコネクタを概略的に示す図である。
【図５】平衡伝送用ケーブルコネクタ１００の断面図である。
【図６】図５中の中継部分を分解して示す図である。
【図７】中継配線基板１２０を示す図である。
【図８】平衡伝送用ケーブル６０を示す図である。
【図９】本発明の実施例２になる平衡伝送用ケーブルコネクタを概略的に示す図である。
【図１０】中継配線基板２２０を示す図である。
【図１１】本発明の実施例３になる平衡伝送用ケーブルコネクタを概略的に示す図である。
【図１２】中継配線基板３２０を示す図である。
【図１３】図１２の矢視Ａ−Ａから見た断面図である。
【符号の説明】
【００７２】
１０    コンタクト組立体
１１    ブロック体
１２    第１の信号コンタクト
１４    第２の信号コンタクト
１６    グランドコンタクト
６０、２６０    平衡伝送用ケーブル
７０    ペア電線
７２    第１の信号ワイヤ
７４    第２の信号ワイヤ
７６    ドレンワイヤ
１００、２００、３００    平衡伝送用ケーブルコネクタ
１２０、２２０、３２０    中継配線基板
１３０    コンタクト接続用パッド群
１３２    第１のコンタクト接続用パッド
１３４    第２のコンタクト接続用パッド
１３６    第３のコンタクト接続用パッド
１４０、２４０、３４０    ワイヤ接続用パッド群
１４２、２４２、３４２    第１のワイヤ接続用パッド
１４４、２４４、３４４    第２のワイヤ接続用パッド
１４６、２４６、３４６    第３のワイヤ接続用パッド
１５０、２５０、３５０    配線群
１５２、２５２、３５２    第１の配線
１５４、２５４、３５４    第２の配線
１５６、２５６、３５６    第３の配線
３２８    グランド層
３９２、３９４、３９６    ガイド溝
【図１】
2010010102.tif 000003
【図２】
2010010102.tif 000004
【図３】
2010010102.tif 000005
【図４】
2010010102.tif 000006
【図５】
2010010102.tif 000007
【図６】
2010010102.tif 000008
【図７】
2010010102.tif 000009
【図８】
2010010102.tif 000010
【図９】
2010010102.tif 000011
【図１０】
2010010102.tif 000012
【図１１】
2010010102.tif 000013
【図１２】
2010010102.tif 000014
【図１３】
2010010102.tif 000015